(57)【要約】【課題】携帯電話等の収納物を充電する際に電源コードの断線のおそれがなく、スライド操作が容易で下部の収納物へアクセスし易いトレイを提供する。【解決手段】トレイ１は略長方形の底面の周囲に壁１ａを廻らせた箱型形状であって、左右の壁１ａの外側に折り曲げられた先端をコンソールボックス本体３のスライドレール４上面に当接させて前後方向にスライドさせることができる。トレイ１の底面の一辺に切り欠き部２を設けてここに電源コード５ａを通すことで断線の危険が防止でき、しかも最短距離で取り回すことができるため電源コードによって携帯電話等のディスプレイが見難くなったり、スライド操作に支障をきたすということがなく、また、切り欠き部２に指をかけることができるため、トレイ１のスライド動作を容易に行うことができる。【選択図】図６
2008189170.tif 000002
【特許請求の範囲】
【請求項１】
自動車内に設けられ、内部に電源や入力端子を有するコンソールボックス内にスライド可能に設けられたトレイであって、
上記トレイは、上記電源や入力端子より上方に配設され、上記電源等からの配線を通す切り欠き部を有する
ことを特徴とするコンソールボックス内中段トレイ。
【請求項２】
上記切り欠き部は、上記トレイの上記スライド方向に面する辺に配設されることを特徴とする、請求項1に記載のコンソールボックス内中段トレイ。
【発明の詳細な説明】
【技術分野】
【０００１】
本発明は、自動車の車室内に備えられる収納ボックスであるコンソールボックスに関し、特にタバコや携帯電話等の小物類の仮置きに使用されるコンソールボックス内中段トレイに関する。
【背景技術】
【０００２】
コンソールボックス内の中段トレイ（以下単に「トレイ」と記す）は、乗車の際ユーザーが所持していた小物類を仮置きするスペースとして活用されている。なお、コンソールボックスは長手方向を自動車の進行方向と平行に取付けられるため、以下、自動車の前後方向をコンソールボックスの前後として説明する。
【０００３】
従来のトレイは、コンソールボックス内を前後方向にスライドさせることが可能であり、トレイをスライドさせてトレイ下部から収納物を出し入れしたり、トレイ下部に設けられた電源に携帯電話や携帯オーディオの電源コードを繋いで充電したりすることができる。特許文献１には、底板と側壁に凹型溝を設けることにより収納物を容易に取り出すことのできるトレイが開示されている。
【特許文献１】特開２００６−１７６０５１号公報
【発明の開示】
【発明が解決しようとする課題】
【０００４】
しかしながら、従来のトレイには以下の問題点がある。すなわち、車内に持ち込まれた携帯電話や携帯オーディオを充電する際、トレイ下部の電源に繋いだ電源コードが、図８（ａ）に示すようにコンソールボックスの前壁とトレイ前方との間に挟まれて断線するおそれがある点である。
【０００５】
また、上記のように電源コードが挟まるのを防ぐためにトレイ後方から電源コードを回し込むと、図８（ｂ）に示すように携帯電話や携帯オーディオ等のディスプレイが見難くなり、電源コードがトレイのスライドの邪魔になる（後述する図８（ｄ）の場合よりさらに不利である。）ため、トレイの操作性も悪化する。
【０００６】
上記を避けるために図８（ｃ）に示すように携帯電話等を前後逆向きにしても、さらにディスプレイが見難くなり、電源コードが短い場合は、図８（ｄ）に示すようにトレイの可動範囲が狭くなり、操作性が悪くなる。
また、トレイに指をかける場所がなく、図８（ｅ）に示すようにトレイ下部にＣＤ等の収納物を出し入れする場合のスライド操作が困難であった。
【０００７】
本発明は上記問題点を解決して、携帯電話等の収納物を充電する際に電源コードの断線のおそれがないコンソールボックス内中段トレイを提供することを課題とする。さらに、前記課題に加えて、上記断線を防止できるとともに、電源コードによって携帯電話等のディスプレイが見難くなったり、スライド操作に支障をきたすということがなく、スライド操作を容易に行うことができて下部の収納物へアクセスし易いコンソールボックス内中段トレイを提供することを課題とする。
【課題を解決するための手段】
【０００８】
請求項１に記載の発明によれば、自動車内に設けられ、内部に電源や入力端子を有するコンソールボックス内にスライド可能に設けられたトレイであって、上記トレイは、上記電源や入力端子より上方に配設され、上記電源等からの配線を通す切り欠き部を有することを特徴とするコンソールボックス内中段トレイが提供される。切り欠き部とは、トレイの底面または後述する壁面に設けられた凹部あるいは貫通孔である。トレイの一部にこの切り欠き部を設けることで、この部分に上記電源コードを通すことにより上記の断線を確実に防止することができる。
請求項２に記載の発明によれば、請求項１に記載の発明において、上記切り欠き部が、上記トレイの上記スライド方向に面する辺に配設されることを特徴とするコンソールボックス内中段トレイが提供される。上記位置に切り欠き部を設けることで、断線を防止できるとともに、最短距離を取り回して配線できるため、電源コードによって携帯電話等のディスプレイが見難くなったり、スライド操作に支障をきたすということがなく、また、切り欠き部に指を掛けることでトレイのスライド操作を容易に行うことができ、下部の収納物へ容易にアクセスすることができる。
【発明の効果】
【０００９】
各請求項に記載の発明によれば、電源コードを上記切り欠き部に通すことにより、トレイに置かれた携帯電話等を充電する際の断線を確実に防止することができるという共通の効果を奏する。
請求項２に記載の発明によれば、さらに、電源コードによって携帯電話等のディスプレイが見難くなったり、スライド操作に支障をきたすということがなく、また、上記切り欠き部に指をかけて操作することにより、トレイ下部にＣＤ等の収納物を出し入れする場合のトレイのスライド操作を容易に行うことができる。
【発明を実施するための最良の形態】
【００１０】
以下に、本発明の実施形態について図を用いて説明する。
図１は、本発明のコンソールボックス内中段トレイの一実施形態を示す斜視図、図２は同平面図、図３は図２のＡ−Ａ断面図である。符号１は中段トレイ本体、符号２は切り欠き部、符号３はコンソールボックス本体をそれぞれ示す。
【００１１】
図１、２に示すように、本実施形態のトレイ１は略長方形の底面の周囲に壁１ａを廻らせた箱型形状であって、底面の一辺の中央に切り欠き部２が設けられている。切り欠き部２を有する辺に接する平行な２辺の壁１ａは、図３に示す断面形状を有しており、先端１ｂは外側に折り曲げられている。トレイ１は、この先端１ｂをコンソールボックス本体３の左右の内壁に設けられたスライドレール４の上面に当接させて前後方向にスライドすることができる。
【００１２】
図４に、トレイ１のコンソールボックス本体３への取り付け方法を示す。図４において、手前がコンソールボックス３の前方である。トレイ１は、図のように切り欠き部２を前方にして、左右の壁１ａの先端１ｂをスライドレール４の上面に当接させてコンソールボックス本体３へ取付けられる。
【００１３】
次に、上記構成のトレイ１の機能及び効果について説明する。
図５は、上記構成のトレイ１の切り欠き部２に携帯電話５の電源コードを通した際の断面図であり、図６は、図５を斜視図で表したものである。図５、６においては右方がコンソールボックス３の前方である。上記構成の切り欠き部２によって、電源６から携帯電話５まで電源コード５ａを断線の危険なく、しかも最短距離で取り回すことができる。
【００１４】
図７は、トレイ１下部の収納スペース７から収納物を出し入れする際、切り欠き部２に指をかけて、トレイ１をスライドレール４の上面に沿って後方に移動させる状態を示す図である。上記構成の切り欠き部２によって、トレイ１を容易に、かつ、スムーズに後方移動させることができる。
【００１５】
一見すると、切り欠き部の対辺（Ｂ部）の壁１ａに指をかけて後方に引いても、上記構成と同様に容易かつスムーズにトレイ１を移動させることができるのではないか、と考えられるが、Ｂ部でこの動作を行うと、指で摘まむ動作により壁に後方回転のモーメントを与えてしまい、トレイ１の前方が跳ね上がったり、トレイ１全体がスライドレール４から外れてしまうことがある。トレイ１が空の状態の場合、この傾向が大きい。
前方に位置する切り欠き部２に指をかけて引く場合は上記のトラブルは発生しない。したがって、上記構成の切り欠き部２はトレイ１の後方移動に関して実際的な効果を有している。
【００１６】
なお、トレイ１の前方動作に関しても、切り欠き部２を指で摘まんで移動させる方が、Ｂ部に指をかけて押し込むよりもトレイ１を安定して移動させることができる。一般的に押す動作よりも引く動作のほうが、特に路面状態が悪い場合、安定して移動させることができる。これは、路面に凹凸があった場合、引く動作では前方を持ち上げることで容易にこの凹凸をクリアできるからである。本実施形態では、スライドレール４の上面にゴミ等があった場合、上述したように、切り欠き部２によりトレイ１を安定して前方移動させることができる。
【００１７】
図１〜７でトレイ１前方に切り欠き部２を有する実施形態について説明したが、切り欠き部２は、電源等の配置によってはトレイ１の後方あるいは側方にあってもよい。本実施形態のトレイ１の前後を逆にしてスライドレール４に取付ければ、電源等がコンソールボックス内の後方に配置されている場合についても請求項１記載の発明の効果が得られる。
また、切り欠き部２の形状についても、トレイ１の底面あるいは壁に開口部を設ける構成としてもよい。
【００１８】
以上説明したように、上記構成の切り欠き部を設けることにより、本実施形態のトレイは、携帯電話等の充電の際の断線を防止できるとともに、電源コードによって携帯電話等のディスプレイが見難くなったり、スライド操作に支障をきたすということがなく、トレイ下部の収納物を出し入れする際のトレイの移動を容易、かつ、スムーズに行うことができる。
【図面の簡単な説明】
【００１９】
【図１】本発明のトレイの一実施形態を示す斜視図である。
【図２】本発明のトレイの一実施形態を示す平面図である。
【図３】図２のＡ−Ａ断面図である。
【図４】トレイ１のコンソールボックス本体３への取り付け方法を示す図である。
【図５】切り欠き部２に携帯電話５の電源コードを通した際の断面図である。
【図６】切り欠き部２に携帯電話５の電源コードを通した際の斜視図である。
【図７】トレイ１を後方に移動させる状態を示す斜視図である。
【図８】従来のトレイの問題点を説明するための図であり、（ａ）は電源コードがトレイ前方で挟まれる状態を、ｂ）は電源コードでディスプレイが見難くなる状態を、（ｃ）は携帯電話等を前後逆向きにした状態を、（ｄ）は電源コードでトレイの操作性が悪くなる状態を、（ｅ）はスライド操作が困難な状態をそれぞれ説明するための図である。
【符号の説明】
【００２０】
１    トレイ
２    切り欠き部
３    コンソールボックス本体
４    スライドレール
５ａ    電源コード
７    下部収納スペース
【図１】
2008189170.tif 000003
【図２】
2008189170.tif 000004
【図３】
2008189170.tif 000005
【図４】
2008189170.tif 000006
【図５】
2008189170.tif 000007
【図６】
2008189170.tif 000008
【図７】
2008189170.tif 000009
【図８】
2008189170.tif 000010